(57)【要約】      （修正有）【課題】キャップを被せるときに容器の内部を予め減圧しておくことができるキャップを提供する。【解決手段】柔軟性および伸縮性を有する素材で形成され、容器の開口面に被着して使用されるキャップ１であって、円形の天面部２と、この天面部２の周縁から垂下するスカート部３とにより一端に開口部１１を有する円筒形状であり、さらに前記スカート部３の下端の複数個所から前記スカート部３の外周方向に延設された舌片７，８とを備えているように構成した。【選択図】図１
0003108980.tif 000002
【実用新案登録請求の範囲】
【請求項１】
柔軟性および伸縮性を有する素材で形成され、容器の開口面に被着して使用されるキャップであって、円形の天面部と、この天面部の周縁から垂下するスカート部とにより一端に開口部を有する円筒形状であり、さらに前記スカート部の下端の複数個所から前記スカート部の外周方向に延設された舌片とを備えたことを特徴とするキャップ。
【請求項２】
前記舌片は、左右に引っ張って前記天面部の周縁から垂下するスカート部による開口部を広げて容器の開口面に被着し易くするための複数の開口部拡大用舌片と、キャップを前記容器の開口面に被着した状態でキャップの上面を押して前記天面部を前記容器内に膨らませた状態にして、持ち上げて前記スカート部を捲り上げることで、前記容器の上縁とキャップとの間に空気抜きとなる隙間を形成して、前記容器の内部を減圧するための減圧用舌片であることを特徴とする請求項１に記載のキャップ。
【考案の詳細な説明】
【技術分野】
【０００１】
本考案は、例えば、どんぶり、コップ等の比較的、口の広い容器に食物を収容して容器の開口面に被着させて、冷凍用、冷蔵用として使用され、または、電子レンジでの調理用として使用されるキャップに関するものである。
【背景技術】
【０００２】
従来、この種のキャップとしては、円形の天面部と、この天面部の周縁から垂下するスカート部と、このスカート部からさらに垂下する開封用つまみとを有したキャップ本体に、前記天面部の下方に衝撃吸収空間を形成すると共に容器の口部とのシール部を設けた合成樹脂製の衝撃吸収部材を装着したものが提案されている。
【特許文献１】特開２０００−１９１００２号公報
【考案の開示】
【考案が解決しようとする課題】
【０００３】
従来のキャップは、振動や落下により容器に衝撃が加わっても内容物の漏れを防止しようとするものであり、密封性は十分である。しかしながら、容器の内容物（収納食物）を電子レンジで調理する場合に内圧が高くなって、調理中にキャップが飛んで容器内の内容物が電子レンジ内に飛び散ったりするので、電子レンジでの調理時間が制限されてしまうため改善が望まれていた。
【０００４】
この考案は、上記課題を解決するものであり、キャップを被せるときに容器の内部を予め減圧しておくことができ、キャップを被せた容器内の内容物が温まって内圧が高くなるような作用が生じても、容器内の内圧が高くなるまでに時間がかり、その分、調理時間を長くできるようなキャップを提供するものである。
【課題を解決するための手段】
【０００５】
上記課題を解決するために請求項１に記載の考案は、柔軟性および伸縮性を有する素材で形成され、容器の開口面に被着して使用されるキャップであって、円形の天面部と、この天面部の周縁から垂下するスカート部とにより一端に開口部を有する円筒形状であり、さらに前記スカート部の下端の複数個所から前記スカート部の外周方向に延設された舌片とを備えたことを特徴とするキャップである。
【０００６】
また、請求項２に記載の考案は、前記舌片は、左右に引っ張って前記天面部の周縁から垂下するスカート部による開口部を広げて容器の開口面に被着し易くするための複数の開口部拡大用舌片と、キャップを前記容器の開口面に被着した状態でキャップの上面を押して前記天面部を前記容器内に膨らませた状態にして、持ち上げて前記スカート部を捲り上げることで、前記容器の上縁とキャップとの間に空気抜きとなる隙間を形成して、前記容器の内部を減圧するための減圧用舌片であることを特徴とする請求項１に記載のキャップである。
【考案の効果】
【０００７】
本考案のキャップによれば、開口部拡大用舌片を左右に引っ張って容器の口に上部から被せ易くするものであり、また、減圧用舌片により容器の内部を減圧して密閉できるため、電子レンジでの調理において、キャップを被せた容器内の内容物が温まって内圧が高くなるような作用が生じても、容器の内部を予め減圧しておけば、容器内の内圧が高くなるまでに時間がかかり、その分、調理時間を長くできる。
【考案を実施するための最良の形態】
【０００８】
以下、図面に基づいて本考案の実施の形態を説明する。
【実施例】
【０００９】
図１は本考案の実施例のキャップの斜視図、図２は図１のキャップを側面から見た一部を拡大した切欠断面図、図３は実施例の使用状態の一部切欠正面図である。
【００１０】
図１において、キャップ１は、柔軟性および伸縮性を有する素材（例えば、ゴムや樹脂の素材）で形成されている。キャップ１は、円形の天面部２と、この天面部２の周縁から垂下するスカート部３とにより一端に開口部１１を有する円筒形状であり、天面部２の上面２ａには、径の大きさが異なり、外側に突出して形成された複数の環状リブ４が間隔を空けて同芯に形成されている。また、スカート部３の外周面３ａには、外側に突出して形成された環状リブ５が間隔を空けて並列に形成されている。スカート部３の内周面３ｂには、内側に突出して形成され容器２０の外周面２０ａとの密着性を良くするための複数の環状リブ６が並列に隣接して形成されている。また、スカート部３の下端３ｃの複数個所からは、スカート部３の外周方向に複数の短い舌片７と、単一の長い舌片８とが延設されている。
【００１１】
複数の短い舌片７は、いずれか２つの舌片７を手で掴み、左右に引っ張って円筒形状のキャップ１の開口部１１を広げて容器２０の開口面２１に被着し易くするために使用されるもので、開口部拡大用つまみとして機能する。２つの舌片７を手で掴み、左右に引っ張って円筒形状のキャップ１の開口部１１を広げたときに、各環状リブ４，５，６は伸縮するキャップ１を補強して、弾力性を高めている。
【００１２】
単一の長い舌片８は、キャップ１を容器２０の開口面２１に被着した状態で天面部２の上面２ａを手で押して、天面部２を容器２０内に膨らませた状態にして、舌片８を持ち上げてスカート部３を捲り上げることで、容器２０の上縁２０ｂとの間に空気抜きとなる隙間２２を形成して、容器２０の内部を減圧するために使用されるもので、減圧用つまみとして機能する。
【００１３】
以上説明したように、本考案によれば、開口部拡大用つまみを左右に引っ張って容器の開口面に被着し易いものであり、また、減圧用つまみにより容器の内部を減圧・真空状態にして密閉できるため、保存性に優れ、冷凍用、冷蔵用として使用したり、または、電子レンジでの調理用として使用できる。
【産業上の利用可能性】
【００１４】
本考案は前記実施例に限定されるものではなく、実用新案登録請求の範囲に記載された本考案を逸脱することがなければ、種々の設計変更が可能であり、前記実施例に限定されないことはいうまでもない。
【図面の簡単な説明】
【００１５】
【図１】本考案の実施例のキャップの斜視図である。
【図２】図１のキャップを側面から見た一部を拡大した切欠断面図である。
【図３】実施例の使用状態の一部切欠正面図である。
【符号の説明】
【００１６】
１  キャップ
２  天面部
２ａ  天面部の上面
３  スカート部
３ａ  スカート部の外周面
３ｂ  スカート部の内周面
３ｃ  スカート部の下端
４，５，６  環状リブ
７  短い舌片
８  長い舌片
１１  開口部
２０  容器
２０ａ  容器の外周面
２０ｂ  容器の上縁
２１  容器の開口面
２２  隙間
【図１】
0003108980.tif 000003
【図２】
0003108980.tif 000004
【図３】
0003108980.tif 000005